【手続補正書】
【提出日】平成25年6月27日(2013.6.27)
【手続補正１】
【補正対象書類名】特許請求の範囲
【補正対象項目名】全文
【補正方法】変更
【補正の内容】
【特許請求の範囲】
【請求項１】
電子文書の出力要求に応じて、該電子文書を識別する識別情報と、該電子文書の内容と、を紙文書に出力する処理を行う出力処理手段と、
前記電子文書の内容の少なくとも一部を、前記出力処理手段で用いられる紙文書の出力に適したデータから抽出する抽出手段と、
前記識別情報と、前記抽出手段が抽出した電子文書の内容と、を関連付ける電子文書関連付手段と、
前記出力処理手段で出力する処理がされた識別情報と前記紙文書に対する操作に関する操作履歴情報とを取得する取得手段と、
前記取得手段が取得した識別情報および操作履歴情報を関連付ける操作履歴関連付手段と、
を備えることを特徴とする情報処理装置。
【請求項２】
文書が取り得る状態と、該文書が当該状態にあると評価する評価条件であって前記電子文書の内容に関する条件および  前記操作履歴情報に関する条件の少なくとも一方を含む評価条件と、が関連付けられ、前記電子文書関連付手段に関連付けられた識別情報の文書が該評価条件を満たすか否かを判定し、該評価条件を満たす文書と該評価条件に関連付けられた状態とを対応づけて表示装置に表示させる処理を行う表示処理手段、  をさらに備える、
ことを特徴とする請求項１に記載の情報処理装置。
【請求項３】
前記電子文書の内容に関する条件と前記操作履歴情報に関する条件との組合せにより表される処理実行条件と、当該処理実行条件が満たされた場合に実行すべき処理の内容と、が関連付けられ、前記電子文書関連付手段および前記操作履歴関連付手段に関連付けられた識別情報の文書のうち前記処理実行条件を満たすものがある場合に、当該処理実行条件に関連付けられた内容の処理を実行する処理実行手段、  をさらに備える、
ことを特徴とする請求項１または２に記載の情報処理装置。
【請求項４】
前記出力処理手段は、さらに、単一の電子文書から複数の紙文書を出力する要求に応じて、前記複数の紙文書のそれぞれに対応する複数の異なる識別情報を生成し、生成した識別情報のそれぞれと前記複数の紙文書のそれぞれの内容とを含む文書情報を出力する処理を行い、
前記電子文書関連付手段は、さらに、前記出力対象の前記複数の紙文書のそれぞれの内容の少なくとも一部を抽出し、抽出した内容を表す内容情報を、前記複数の紙文書のそれぞれに対応する複数の識別情報のそれぞれに関連付ける、
ことを特徴とする請求項１から３のいずれか１項に記載の情報処理装置。
【請求項５】
前記出力要求に係る電子文書において、予め定められた領域に、文書を用いた業務の流れの定義に基づく個々の業務を識別する識別情報が配置され、
前記抽出手段は、さらに、前記出力要求に係る電子文書の前記予め定められた領域から該識別情報を抽出する、
ことを特徴とする請求項１から４のいずれか１項に記載の情報処理装置。
【請求項６】
前記出力要求に係る電子文書において、予め定められた領域に当該電子文書の内容が配置され、
前記抽出手段は、さらに、前記出力要求に係る電子文書の前記予め定められた領域から当該電子文書の内容を抽出する、
ことを特徴とする請求項１から４のいずれか１項に記載の情報処理装置。
【請求項７】
コンピュータに、電子文書の出力要求に応じて、該電子文書を識別する識別情報と、該電子文書の内容と、を紙文書に出力する処理を行う出力処理ステップと、
前記電子文書の内容の少なくとも一部を、前記出力処理手段で用いられる紙文書の出力に適したデータから抽出する抽出ステップと、
前記識別情報と、前記抽出するステップで抽出された電子文書の内容と、を関連付ける電子文書関連付ステップと、
前記出力処理ステップで出力する処理がされた識別情報と前記紙文書に対する操作に関する操作履歴情報とを取得する取得ステップと、
前記取得ステップで取得された識別情報および操作履歴情報を関連付ける操作履歴関連付ステップと、
を実行させるためのプログラム。
【手続補正２】
【補正対象書類名】明細書
【補正対象項目名】０００９
【補正方法】変更
【補正の内容】
【０００９】
請求項１に係る発明は、電子文書の出力要求に応じて、該電子文書を識別する識別情報と、該電子文書の内容と、を紙文書に出力する処理を行う出力処理手段と、前記電子文書の内容の少なくとも一部を、前記出力処理手段で用いられる紙文書の出力に適したデータから抽出する抽出手段と、前記識別情報と、前記抽出手段が抽出した電子文書の内容と、を関連付ける電子文書関連付手段と、前記出力処理手段で出力する処理がされた識別情報と前記紙文書に対する操作に関する操作履歴情報とを取得する取得手段と、前記取得手段が取得した識別情報および操作履歴情報を関連付ける操作履歴関連付手段と、を備えることを特徴とする情報処理装置である。
【手続補正３】
【補正対象書類名】明細書
【補正対象項目名】００１０
【補正方法】変更
【補正の内容】
【００１０】
請求項２に係る発明は、文書が取り得る状態と、該文書が当該状態にあると評価する評価条件であって前記電子文書の内容に関する条件および  前記操作履歴情報に関する条件の少なくとも一方を含む評価条件と、が関連付けられ、前記電子文書関連付手段に関連付けられた識別情報の文書が該評価条件を満たすか否かを判定し、該評価条件を満たす文書と該評価条件に関連付けられた状態とを対応づけて表示装置に表示させる処理を行う表示処理手段、  をさらに備える、
ことを特徴とする請求項１に記載の情報処理装置である。
【手続補正４】
【補正対象書類名】明細書
【補正対象項目名】００１１
【補正方法】変更
【補正の内容】
【００１１】
請求項３に係る発明は、前記電子文書の内容に関する条件と前記操作履歴情報に関する条件との組合せにより表される処理実行条件と、当該処理実行条件が満たされた場合に実行すべき処理の内容と、が関連付けられ、前記電子文書関連付手段および前記操作履歴関連付手段に関連付けられた識別情報の文書のうち前記処理実行条件を満たすものがある場合に、当該処理実行条件に関連付けられた内容の処理を実行する処理実行手段、  をさらに備える、ことを特徴とする請求項１または２に記載の情報処理装置である。
【手続補正５】
【補正対象書類名】明細書
【補正対象項目名】００１２
【補正方法】変更
【補正の内容】
【００１２】
請求項４に係る発明は、前記出力処理手段は、さらに、単一の電子文書から複数の紙文書を出力する要求に応じて、前記複数の紙文書のそれぞれに対応する複数の異なる識別情報を生成し、生成した識別情報のそれぞれと前記複数の紙文書のそれぞれの内容とを含む文書情報を出力する処理を行い、前記電子文書関連付手段は、さらに、前記出力対象の前記複数の紙文書のそれぞれの内容の少なくとも一部を抽出し、抽出した内容を表す内容情報を、前記複数の紙文書のそれぞれに対応する複数の識別情報のそれぞれに関連付ける、ことを特徴とする請求項１から３のいずれか１項に記載の情報処理装置。
【手続補正６】
【補正対象書類名】明細書
【補正対象項目名】００１３
【補正方法】変更
【補正の内容】
【００１３】
請求項５に係る発明は、前記出力要求に係る電子文書において、予め定められた領域に、文書を用いた業務の流れの定義に基づく個々の業務を識別する識別情報が配置され、前記抽出手段は、さらに、前記出力要求に係る電子文書の前記予め定められた領域から該識別情報を抽出する、ことを特徴とする請求項１から４のいずれか１項に記載の情報処理装置。
【手続補正７】
【補正対象書類名】明細書
【補正対象項目名】００１５
【補正方法】変更
【補正の内容】
【００１５】
請求項７に係る発明は、コンピュータに、電子文書の出力要求に応じて、該電子文書を識別する識別情報と、該電子文書の内容と、を紙文書に出力する処理を行う出力処理ステップと、前記電子文書の内容の少なくとも一部を、前記出力処理手段で用いられる紙文書の出力に適したデータから抽出する抽出ステップと、前記識別情報と、前記抽出するステップで抽出された電子文書の内容と、を関連付ける電子文書関連付ステップと、前記出力処理ステップで出力する処理がされた識別情報と前記紙文書に対する操作に関する操作履歴情報とを取得する取得ステップと、前記取得ステップで取得された識別情報および操作履歴情報を関連付ける操作履歴関連付ステップと、を実行させるためのプログラムである。